(57)【要約】【課題】利便性を向上できるナビゲーション装置を提供する。【解決手段】地図データに基づく地図を表示する表示部３と、地図上に表示される施設に関する情報を通信により取得する通信部７とを備え、通信部７による情報の取得を示す情報取得報知画像３２を地図上に表示し、情報の取得時期または登録時期に応じて情報取得報知画像３２を異なる表示形態にした。【選択図】図２
2010276388.tif 000002
【特許請求の範囲】
【請求項１】
地図データに基づく地図を表示する表示部と、地図上に表示される施設に関する情報を通信により取得する通信部とを備え、前記通信部による前記情報の取得を示す情報取得報知画像を地図上に表示し、前記情報の取得時期または登録時期に応じて前記情報取得報知画像を異なる表示形態にしたことを特徴とするナビゲーション装置。
【請求項２】
前記情報取得報知画像が前記施設を示すアイコンから成り、前記情報の未取得時に対して前記情報の取得時期または登録時期に応じて前記情報取得報知画像の大きさまたは色の濃度を可変したことを特徴とする請求項１に記載のナビゲーション装置。
【請求項３】
前記情報取得報知画像が前記情報を文字表示するラベルから成り、前記情報の取得時期または登録時期に応じて前記情報取得報知画像の大きさまたは色を可変したことを特徴とする請求項１に記載のナビゲーション装置。
【請求項４】
前記情報の有効期間がある場合に、該有効期間が経過すると前記情報取得報知画像の表示形態を、前記情報の未取得時の状態にしたことを特徴とする請求項１〜請求項３のいずれかに記載のナビゲーション装置。
【請求項５】
前記有効期間中の前記情報取得報知画像の表示形態を、前記情報の取得時期または登録時期が最新時の状態にしたことを特徴とする請求項４に記載のナビゲーション装置。
【発明の詳細な説明】
【技術分野】
【０００１】
本発明は、地図を表示して使用者を案内するとともに通信により地図上の施設に関する情報を取得するナビゲーション装置に関する。
【背景技術】
【０００２】
従来のナビゲーション装置は特許文献１に開示されている。このナビゲーション装置は表示部及び通信部を備える。表示部は地図データに基づく地図を表示するとともに、施設を示すアイコンを地図上に重ねて表示する。通信部はコンピュータネットワークを介した通信によって施設に関する情報を取得する。
【０００３】
各施設の情報発信元とアクセス可能な状態になるとアイコンの表示状態が可変される。これにより、使用者がアイコンを操作することによって通信部による通信が行われ、施設情報を取得して表示する。また、使用者による操作が所定期間行われない場合はアイコンの形状が変化する。これにより、使用者が情報発信元にアクセスしていないことを容易に把握することができる。
【０００４】
上記のナビゲーション装置によると各施設に対して使用者がアクセスする必要があるため、情報を取得する際の利便性が悪くなる。このため、特許文献２には定期的に通信を行って施設に関する情報を取得するナビゲーション装置が開示される。このナビゲーション装置は、上記と同様に表示部の地図上に施設を示すアイコンが重ねて表示される。また、通信部は衛星ラジオ放送から人工衛星を介して施設に関する情報を取得する。
【０００５】
通信部により施設に関する情報を取得するとアイコンが強調表示される。使用者はアイコンの強調表示によって情報の取得を認知し、アイコンの押下等によって施設に関する情報を閲覧することができる。これにより、例えばガソリンスタンドからガソリンの価格情報を取得して給油する店舗を選択することができる。
【先行技術文献】
【特許文献】
【０００６】
【特許文献１】特開２００１−３３０４４９号公報（第７頁−第１７頁、第２図）
【特許文献２】特開２００８−１８０５７５号公報（第３頁−第８頁、第４図）
【発明の概要】
【発明が解決しようとする課題】
【０００７】
しかしながら、上記特許文献２に開示されたナビゲーション装置によると、通信部により取得した施設に関する情報が古くなっている場合がある。このため、取得した情報に基づいて施設を利用すると該情報と施設の状況が異なり、利便性が悪い問題があった。
【０００８】
本発明は、利便性を向上できるナビゲーション装置を提供することを目的とする。
【課題を解決するための手段】
【０００９】
上記目的を達成するために本発明は、地図データに基づく地図を表示する表示部と、地図上に表示される施設に関する情報を通信により取得する通信部とを備え、前記通信部による前記情報の取得を示す情報取得報知画像を地図上に表示し、前記情報の取得時期または登録時期に応じて前記情報取得報知画像を異なる表示形態にしたことを特徴としている。
【００１０】
この構成によると、地図データに基づいて施設を含む地図が表示部に表示される。通信部はコンピュータネットワーク等を介して各施設に関する情報を定期的に取得する。各施設に関する情報を取得すると情報取得報知画像が地図上に表示される。この時、各施設に関する情報を取得した時期または登録された時期に応じて、例えば、１時間以内は赤色、１日以内は黒色、１日よりも前は青色等に情報取得報知画像の表示形態が可変される。情報取得報知画像は施設を示すアイコン等と別に設けてもよく、兼用してもよい。
【００１１】
また本発明は、上記構成のナビゲーション装置において、前記情報取得報知画像が前記施設を示すアイコンから成り、前記情報の未取得時に対して前記情報の取得時期または登録時期に応じて前記情報取得報知画像の大きさまたは色の濃度を可変したことを特徴としている。この構成によると、情報を取得していない施設のアイコンが通常の大きさまたは色で表示される。情報を取得した施設は通常よりもアイコンが例えば拡大表示され、情報の取得時期または登録時期が遅い程拡大率が大きく表示される。また、情報を取得した施設は通常よりもアイコンが例えば薄く表示され、取得時期が早い程薄くする度合を大きくして表示される。
【００１２】
また本発明は、上記構成のナビゲーション装置において、前記情報取得報知画像が前記情報を文字表示するラベルから成り、前記情報の取得時期または登録時期に応じて前記情報取得報知画像の大きさまたは色を可変したことを特徴としている。この構成によると、情報を取得した施設の近傍に情報の一部を記載したラベルが表示され、取得時期または登録時期に応じてラベルが異なる大きさまたは色で表示される。
【００１３】
また本発明は、上記構成のナビゲーション装置において、前記情報の有効期間がある場合に、該有効期間が経過すると前記情報取得報知画像の表示形態を前記情報の未取得時の状態にしたことを特徴としている。この構成によると、情報を取得していない施設が通常表示される。情報を取得すると情報取得報知画像が表示され、該情報の有効期間が経過すると情報取得報知画像が例えば消去される。
【００１４】
また本発明は、上記構成のナビゲーション装置において、前記有効期間中の前記情報取得報知画像の表示形態を前記情報の取得時期または登録時期が最新時の状態にしたことを特徴としている。この構成によると、各施設に関する情報を取得した時期または登録された時期に応じて情報取得報知画像の表示形態が可変される。有効期間がある該情報の有効期間中は、情報の取得時期や登録時期が古くても情報取得報知画像が情報を最新に取得した状態と同じ表示形態で表示される。
【発明の効果】
【００１５】
本発明によると、施設に関する情報の取得時期または登録時期に応じて情報の取得を示す情報取得報知画像を異なる表示形態にしたので、使用者が情報の鮮度を容易に把握することができる。従って、古い情報による施設状況の誤認を防止し、ナビゲーション装置の利便性を向上することができる。
【図面の簡単な説明】
【００１６】
【図１】本発明の第１実施形態のナビゲーション装置の構成を示すブロック図
【図２】本発明の第１実施形態のナビゲーション装置の経路案内の表示画面を示す図
【図３】本発明の第１実施形態のナビゲーション装置の施設に関する情報の取得結果の表示画面を示す図
【図４】本発明の第１実施形態のナビゲーション装置の経路案内の表示画面から施設に関する情報を表示した状態を示す図
【図５】本発明の第２実施形態のナビゲーション装置の経路案内の表示画面を示す図
【図６】本発明の第３実施形態のナビゲーション装置の経路案内の表示画面を示す図
【図７】本発明の第４実施形態のナビゲーション装置の施設に関する情報が有効期間前の経路案内の表示画面を示す図
【図８】本発明の第４実施形態のナビゲーション装置の施設に関する情報が有効期間中の経路案内の表示画面を示す図
【図９】本発明の第４実施形態のナビゲーション装置の施設に関する情報が有効期間後の経路案内の表示画面を示す図
【発明を実施するための形態】
【００１７】
以下に本発明の実施形態を図面を参照して説明する。図１は第１実施形態のナビゲーション装置の構成を示すブロック図である。ナビゲーション装置１は各部を制御するＣＰＵから成る制御回路２を備えている。
【００１８】
制御回路２には表示部３、位置計測部４、通信部７、記憶媒体部８、音声入出力部１０が接続される。表示部３は液晶パネルや有機ＥＬパネル等から成り、地図データ９による地図や操作メニューの表示を行う。また、表示部３には使用者により操作されるタッチパネルが形成される。
【００１９】
位置計測部４はＧＰＳセンサ５及びジャイロセンサ６を有している。ＧＰＳセンサ５はＧＰＳの電波を受信してナビゲーション装置１の現在位置を検知する。ジャイロセンサ６は自動車や歩行者が曲がる際に加わる加速度を検知して曲がった角度を検出する。ジャイロセンサ６によってＧＰＳの電波が届かない場所で自動車や歩行者が曲がったことを検知する。
【００２０】
記憶媒体部８はＲＯＭ及びＲＡＭを有し、ナビゲーション装置１の動作プログラムや設定条件を格納するとともに制御回路２による演算の一時記憶を行う。また、記憶媒体部８にはＨＤＤ、ＣＤ、ＤＶＤ、フラッシュメモリ等によって地図データ９が格納される。音声入出力部１０はスピーカ１１及びマイクロフォン１２を有している。スピーカ１１は案内のための音声を出力する。マイクロフォン１２は音声入力による操作を行う。
【００２１】
通信部７はコンピュータネットワーク上の外部情報システム２０と電話回線等を介して通信を行う。外部情報システム２０には地図データ９に含まれる施設の施設案内情報２１や広告情報２２等の施設に関する情報が格納される。施設案内情報２１には例えば施設の名称、住所、電話番号、営業時間等の情報が含まれる。広告情報２２には価格情報、タイムバーゲン情報、割引のＩＤ情報（ＩＤ番号を施設に提示すると割引を受けられる）、登録日時の情報等が含まれる。通信部７によって施設に関する情報を取得することができ、取得した情報は記憶媒体部８に保管される。
【００２２】
ナビゲーション装置１は表示部３のタッチパネルの操作によって出発地及び目的地が設定され、記憶媒体部８に格納された動作プログラムによって出発地から目的地までの経路を探索する。そして、地図データ９に基づく地図を表示部３に表示し、位置計測部４により検出した現在位置を地図上に表示して目的地までの経路を案内する。
【００２３】
図２はナビゲーション装置１による経路案内の表示画面を示す図である。表示部３の表示画面には地図上の道路３０に現在位置Ｐ及び経路線３１が表示される。また、道路３０に沿う各施設を示すアイコン３２が表示され、表示画面の右下部には現在時刻を表示する時刻表示部３３が設けられる。
【００２４】
各施設を示すアイコン３２は通信部７により施設に関する情報を取得すると拡大表示される。図中、施設Ｄは情報を未取得の状態を示しており、施設Ａ〜Ｃは情報を取得した状態を示している。従って、アイコン３２は施設の位置を示すだけでなく、通信部７による各施設に関する情報の取得を示す情報取得報知画像を構成する。また、アイコン３２は施設に関する情報の取得時期に応じて拡大率が可変される。
【００２５】
図３は所定の操作によって施設に関する情報の取得履歴を表示部３に表示した表示画面を示している。表示画面の上部にはタイトル部４１が設けられ、タイトル部４１の下方に履歴部４２が設けられる。タイトル部４１は使用者により選択される施設の種別が表示される。履歴部４２は使用者により選択される施設の種別に該当する施設に関する情報の取得時刻が表示される。
【００２６】
本実施形態の例では、使用者によりガソリンスタンドの履歴表示が選択され、履歴部４２にはガソリンスタンドの各施設の情報の取得時刻及び簡単な価格情報が一覧表示される。
【００２７】
そして、前述の図２に示すように、各施設のアイコン３２は情報の取得時期が新しい程拡大率を大きくして表示される。即ち、アイコン３２の大きい順に、情報の取得時期が１時間以内（Ａ店）、１日以内（Ｃ店）、１日よりも前（Ｂ店）となっている。これにより、各施設に関する情報が新しい情報か古い情報かを使用者が容易に判別することができる。尚、情報の取得時期が新しい程アイコン３２を小さく表示してもよい。
【００２８】
また、各施設のアイコン３２を押下すると図４に示すように情報ウィンドウ３４が表示され、通信部７で取得された各施設に関する情報が詳細表示される。
【００２９】
本実施形態によると、施設に関する情報の取得時期に応じて情報の取得を示すアイコン３２による情報取得報知画像を異なる大きさにしたので、使用者が情報の鮮度を容易に把握することができる。従って、古い情報による施設状況の誤認を防止し、ナビゲーション装置１の利便性を向上することができる。
【００３０】
次に、図５は第２実施形態のナビゲーション装置１による経路案内の表示画面を示す図である。説明の便宜上、前述の図２に示す第１実施形態と同様の部分には同一の符号を付している。本実施形態は通信部７により施設に関する情報を取得した時の各施設を示すアイコン３２の表示形態が第１実施形態と異なっている。その他の部分は第１実施形態と同一である。
【００３１】
図中、施設Ｄは情報を未取得の状態を示している。施設Ｄのアイコン３２はランドマーク等から成り、所定の色彩が施されている。施設Ａ〜Ｃのアイコン３２は情報を取得した状態を示しており、施設Ｄのアイコン３２に対して色の濃度が薄く表示される。
【００３２】
また、各施設の情報の取得時期が古い程アイコン３２の色の濃度を薄くしている。即ち、アイコン３２の色の濃度が濃い順に、更新時期が１時間以内（Ａ店）、１日以内（Ｃ店）、１日よりも前（Ｂ店）となっている。これにより、各施設に関する情報が新しい情報か古い情報かを使用者が容易に判別することができる。尚、情報の取得時期が古い程アイコン３２の色の濃度を濃く表示してもよい。
【００３３】
本実施形態によると、施設に関する情報の取得時期に応じて情報の取得を示すアイコン３２による情報取得報知画像を異なる色の濃度にしたので、使用者が情報の鮮度を容易に把握することができる。従って、古い情報による施設状況の誤認を防止し、ナビゲーション装置１の利便性を向上することができる。
【００３４】
第１、第２実施形態において、施設に関する情報の取得時期に応じてアイコン３２による情報取得報知画像を異なる大きさや色の濃度にしているが、情報取得報知画像の形状や色等の表示形態が異なっていればよい。これにより、使用者が情報の鮮度を容易に把握することができる。また、アイコン３２が施設のランドマークからなる場合に、アイコン３２の色の色相を変えずに大きさや色の濃度を変えることにより、一般にイメージされる施設のランドマークの誤認を防止することができる。
【００３５】
また、施設に関する情報の取得時期に応じてアイコン３２の色や形状を可変し、価格情報等に応じてアイコン３２の大きさを可変してもよい。
【００３６】
次に、図６は第３実施形態のナビゲーション装置１による経路案内の表示画面を示す図である。説明の便宜上、前述の図２、図５に示す第１、第２実施形態と同様の部分には同一の符号を付している。本実施形態は通信部７により施設に関する情報を取得した時の情報取得報知画像が第１、第２実施形態と異なっている。その他の部分は第１、第２実施形態と同一である。
【００３７】
施設に関する情報を取得すると、情報の取得を示すラベル３５が各施設のアイコン３２の近傍に設けられる。ラベル３５には価格情報等の取得した情報の一部が文字表示される。図中、施設Ｄは情報を未取得の状態を示しており、ラベル３５が付加されていない。施設Ａ〜Ｃは情報を取得してラベル３５が付加された状態を示している。従って、ラベル３５は施設に関する情報の取得を示す情報取得報知画像を構成する。
【００３８】
また、各施設の情報の取得時期に応じてラベル３５の文字色が可変される。即ち、取得時期が１時間以内（Ａ店）の場合は赤色（図中、太字で記載）、１日以内（Ｃ店）の場合は黒色、１日よりも前（Ｂ店）の場合は青色（図中、下線を付して記載）となっている。これにより、各施設に関する情報が新しい情報か古い情報かを使用者が容易に判別することができる。
【００３９】
本実施形態によると、施設に関する情報の取得時期に応じて情報の取得を示すラベル３５による情報取得報知画像を異なる色にしたので、使用者が情報の鮮度を容易に把握することができる。従って、古い情報による施設状況の誤認を防止し、ナビゲーション装置１の利便性を向上することができる。尚、施設に関する情報の取得時期に応じてラベル３５の文字色を可変しているが文字の背景色を可変してもよい。即ち、ラベル３５の表示形態を可変すればよく、文字のフォントや大きさ等を可変してもよい。
【００４０】
次に、図７は第４実施形態のナビゲーション装置１による経路案内の表示画面を示す図である。説明の便宜上、前述の図６に示す第３実施形態と同様の部分には同一の符号を付している。本実施形態は第３実施形態と同様に、通信部７により施設に関する情報を取得すると、施設のアイコン３２の近傍にラベル３５が設けられる。
【００４１】
そして、施設に関する情報がタイムバーゲン等の有効期間を有する場合に、ラベル３５には現在の情報に加えて将来の情報が記される。例えば、情報を取得すると、現在の価格情報等が最新の情報を示す赤色（図中、太字で示す）で表示され、将来の価格情報が青色（図中、下線を付して示す）で付加表示される。
【００４２】
施設に関する情報の有効期間になると、図８に示すようにラベル３５によって有効期間中の価格情報が表示される。この時、情報の取得時期は古いが、ラベル３５が最新の情報を取得した場合と同じ表示形態（赤色）で表示される。これにより、最新の情報と同じように施設状況を誤認することなく施設を利用することができる。
【００４３】
施設に関する情報の有効期間が経過すると、図９に示すようにラベル３５が消去され、情報の未取得時と同じ状態になる。これにより、価格情報等の誤認を防止することができる。
【００４４】
本実施形態によると、第３実施形態と同様の効果に加え、施設に関する情報の有効期間が経過するとラベル３５から成る情報取得報知画像の表示形態を情報の未取得時の状態にしたので、価格情報等の誤認を防止することができる。
【００４５】
また、有効期間中のラベル３５の表示形態を、情報の取得時期が最新時の状態にしたので、最新の情報と同じように施設状況を誤認することなく施設を利用することができる。
【００４６】
尚、第１、第２実施形態においても同様に、アイコン３２から成る情報取得報知画像を施設に関する情報の有効期間中に最新時と同じ形状や色にしてもよい。また、施設に関する情報の有効期間が経過するとアイコン３２を情報の未取得時の状態にしてもよい。
【００４７】
第１〜第４実施形態において、施設に関する情報の取得時期が所定期間よりも前の場合や情報の有効期間が将来の場合は情報取得報知画像を情報の未取得と同じ表示形態にしてもよい。また、施設に関する情報の取得時期に応じて情報取得報知画像の表示形態を可変しているが、該情報が外部情報システム２０（図１参照）に登録された登録時期に応じて情報取得報知画像の表示形態を可変してもよい。
【産業上の利用可能性】
【００４８】
本発明によると、地図を表示して使用者を案内するとともに通信により地図上の施設に関する情報を取得するナビゲーション装置に利用することができる。
【符号の説明】
【００４９】
１    ナビゲーション装置
２    制御回路
３    表示部
４    位置計測部
５    ＧＰＳセンサ
６    ジャイロセンサ
７    通信部
８    記憶媒体部
９    地図データ
１０    音声入出力部
１１    スピーカ
１２    マイクロフォン
２０    外部情報システム
２１    施設案内情報
２２    広告情報
３０    道路
３１    経路線
３２    アイコン
３３    時刻表示部
３４    情報ウィンドウ
３５    ラベル
４１    タイトル部
４２    履歴部
【図１】
2010276388.tif 000003
【図２】
2010276388.tif 000004
【図３】
2010276388.tif 000005
【図４】
2010276388.tif 000006
【図５】
2010276388.tif 000007
【図６】
2010276388.tif 000008
【図７】
2010276388.tif 000009
【図８】
2010276388.tif 000010
【図９】
2010276388.tif 000011